(57)【要約】【課題】書類等の綴じ具において、綴じ具を開閉する際の使用者による切替操作部の操作量を従来に比べて低減することが可能な技術を提供する。【解決手段】開閉可能なリングと、リングを支持するリング支持部と、リング支持部に当接してリング支持部を変位させることでリングを開閉させるカム体を含む切替操作部と、カム体を回動可能に軸支するベース部と、を備え、リング支持部は、カム体のカム部が当接することでリングを閉姿勢に至らせる当接部と、当接部の近傍に形成されると共にカム部が退避することでリングを開姿勢に至らせる退避穴部と、を有する。【選択図】図１
2017222101.tif 000002
【特許請求の範囲】
【請求項１】
開閉可能なリングと、
前記リングを支持するリング支持部と、
前記リング支持部に当接して当該リング支持部を変位させることで前記リングを開閉させるカム体を含む切替操作部と、
前記カム体を回動可能に軸支するベース部と、
を備え、
前記リング支持部は、前記カム体のカム部が当接することで前記リングを閉姿勢に至らせる当接部と、当該当接部の近傍に形成されると共に前記カム部が退避することで前記リングを開姿勢に至らせる退避穴部と、を有する、
綴じ具。
【請求項２】
前記切替操作部は、前記カム部が前記当接部に当接している状態から前記退避穴部に退避する退避方向に当該カム部を回動させると、前記カム部が前記当接部から前記退避穴部に退避し、これと連動して前記ベース部に当接して当該カム部の退避方向への回動を規制するように形成された回動規制部を有する、
請求項１に記載の綴じ具。
【請求項３】
前記退避穴部は、前記リングが前記開姿勢の時に前記カム部を挿通させる貫通穴によって構成されている、請求項１又は２に記載の綴じ具。
【請求項４】
前記退避穴部は、前記リングが前記開姿勢の時に前記カム部を収容する凹部によって構成されている、請求項１又は２に記載の綴じ具。
【請求項５】
前記当接部における前記退避穴部との境界位置には、前記カム部が前記退避穴部から前記当接部に乗り上げる際に当該カム部を滑動させる傾斜面が設けられている、請求項１から４の何れか一項に記載の綴じ具。
【発明の詳細な説明】
【技術分野】
【０００１】
本発明は、綴じ具に関する。
【背景技術】
【０００２】
バインダー等の表紙体の内面には、複数のリング部材を備えた綴じ具が固定されている。この綴じ具として、レバーをリングの開閉を切替える切替操作部とし、レバーの自由端を使用者が回動操作することによってリングの開閉を切り替える、レバーアーチ式綴じ具が従来から広く知られている。
【０００３】
レバーアーチ式綴じ具として、例えば特許文献１に記載されている綴じ具がある。同文献に記載の綴じ具は、金属板からなる帯板状のベース部と、このベース部に設けられ、互いに対向する半リングで構成されるリングと、リングを閉姿勢と開姿勢に切り替えるための切替レバーと、切替レバーの回動位置に応じてリングの開閉度を調節するカム部を備えている。この綴じ具は、操作レバーが倒伏した第１位置で各リングが閉姿勢となり、切替レバーが第１位置に倒伏した状態から回動する過程で各半リングの先端同士の当接が解除され、切替レバーが当該先端の間を通過し、第１位置とは反対側の第２位置に倒伏することでリングが開姿勢となる。
【先行技術文献】
【特許文献】
【０００４】
【特許文献１】特許第４８０４９０５号公報
【発明の概要】
【発明が解決しようとする課題】
【０００５】
特許文献１に記載の綴じ具によれば、リングが開姿勢のときにおいても切替レバーが倒伏し、切替レバーの自由端を各半リングの外側へ通過した退避状態にすることにより、使用者が書類等を抜き差しする作業時に操作レバーが当該作業の邪魔にならないため、書類等の差し替え時の作業性を向上させることができる。しかしながら、このような従来の綴じ具においては、リングを開閉するために操作レバーを第１位置と第２位置との間を略１８０°回動させる必要があるため、使用者による操作レバーの操作量が大きく、手間がかかるという問題があった。
【０００６】
本発明は、上記の問題を鑑みてなされたものであり、その目的は、書類等の綴じ具において、綴じ具を開閉する際の使用者による切替操作部の操作量を従来に比べて低減することが可能な技術を提供することである。
【課題を解決するための手段】
【０００７】
上記課題を解決するため、本発明は、以下の手段を採用した。即ち、本発明に係る綴じ具は、開閉可能なリングと、前記リングを支持するリング支持部と、前記リング支持部に当接して当該リング支持部を変位させることで前記リングを開閉させるカム体を含む切替操作部と、前記カム体を回動可能に軸支するベース部と、を備え、前記リング支持部は、前記カム体のカム部が当接することで前記リングを閉姿勢に至らせる当接部と、当該当接部の近傍に形成されると共に前記カム部が退避することで前記リングを開姿勢に至らせる退避穴部と、を有する。本発明によれば、リング支持部における当接部と退避穴部とが近接して配置されるため、当接部に対するカム部の当接及びその解除を迅速に切り替えることができる。よって、綴じ具を開閉する際の使用者による切替操作部の操作量を従来に比べて低減することが可能となる。
【０００８】
また、前記切替操作部は、前記カム部が前記当接部に当接している状態から前記退避穴部に退避する退避方向に当該カム部を回動させると、前記カム部が前記退避穴部に退避し、これと連動して前記ベース部に当接して当該カム部の退避方向への回動を規制するように形成された回動規制部を有していてもよい。これによれば、カム部が退避穴部から当接部に乗り上げるまでのクリアランス（あそび）が少ないため、カム部を当接部に当接させるまでに要する切替操作部の操作量をより一層少なくすることができる。つまり、前記切替操作部は、前記前記カム部が前記退避穴部を貫通する位置にあるときに前記回動規制部が前記ベース部に当接するように、前記カム部と前記回動規制部とがそれぞれ配置されればよい。
【０００９】
また、前記退避穴部は、前記リングが前記開姿勢の時に前記カム部を挿通させる貫通穴によって構成されていてもよい。また、前記退避穴部は、前記リングが前記開姿勢の時に前記カム部を収容する凹部によって構成されていてもよい。
【００１０】
また、前記当接部における前記退避穴部との境界位置には、前記カム部が前記退避穴部から前記当接部に乗り上げる際に当該カム部を滑動させる傾斜面が設けられていてもよい。これによれば、リングを開姿勢から閉姿勢に切り替える際、カム部を退避穴部から当接部に円滑に変位させることができる。
【発明の効果】
【００１１】
本発明によれば、書類等の綴じ具において、綴じ具を開閉する際の使用者による切替操作部の操作量を従来に比べて低減することができる。
【図面の簡単な説明】
【００１２】
【図１】図１は、実施形態に係る綴じ具の全体斜視図である。
【図２】図２は、実施形態に係る綴じ具の側面図である。
【図３】図３は、実施形態に係る綴じ具の平面図である。
【図４】図４は、実施形態に係る綴じ具の正面図である。
【図５】図５は、実施形態に係る綴じ具の全体斜視図である。
【図６】図６は、実施形態に係る綴じ具の側面図である。
【図７】図７は、実施形態に係る綴じ具の平面図である。
【図８】図８は、実施形態に係る綴じ具の正面図である。
【図９】図９は、実施形態に係る綴じ具のベース部材の平面図である。
【図１０】図１０は、図９のＤ−Ｄ断面図である。
【図１１】図１１は、実施形態に係る綴じ具のベース部材の側面図である。
【図１２】図１２は、図９のＡ−Ａ拡大断面図である。
【図１３】図１３は、図９のＢ−Ｂ拡大断面図である。
【図１４】図１４は、図９のＣ−Ｃ拡大断面図である。
【図１５】図１５は、実施形態に係る綴じ具の切替操作部の正面図である。
【図１６】図１６は、実施形態に係る綴じ具の切替操作部の側面図である。
【図１７】図１７は、実施形態に係る綴じ具の支持部材を示す図で、（ａ）は平面図、（ｂ）は側面図である。
【図１８】図１８は、実施形態に係る綴じ具の支持部材を示す図で、（ａ）は平面図、（ｂ）は側面図である。
【図１９】図１９は、実施形態に係る綴じ具のバネ部材を示す図で、（ａ）は平面図、（ｂ）は側面図である。
【図２０】図２０は、実施形態に係る綴じ具のリングを説明する図である。（ａ）は綴じ具の部分斜視図、（ｂ）は綴じ具のリングの平面図である。
【図２１】図２１は、実施形態に係る綴じ具の要部の作用説明図である。
【図２２】図２２は、実施形態に係る綴じ具の要部の作用説明図である。
【図２３】図２３は、実施形態に係る綴じ具の要部の拡大断面図である。
【図２４】図２４は、実施形態に係る綴じ具の要部の拡大断面図である。
【発明を実施するための形態】
【００１３】
以下、本発明の好適な実施の形態について、図面を参照して説明する。但し、以下で説明する実施形態は本発明を実施するための例示であり、本発明は以下で説明する態様に限定されない。
【００１４】
図１〜４は、本実施形態に係る綴じ具のリングが開いた状態を示す全体図であり、図５〜８は、本実施形態に係る綴じ具のリングが閉じた状態を示す全体図である。
【００１５】
本実施形態における綴じ具１は、金属板で形成されたベース部材２、ベース部材２の長手方向に間隔をおいて設けられた２つのリング３、３、２つのリング３、３の中間部に設けられた切替操作部４及びリング３、３を支持する支持部材５１、５２（図１７、１８参照）を含む切替機構等を備えている。２つのリング３、３は、互いに対向する半リング部材である第１半リング部材３１及び第２半リング部材３２を有している。
【００１６】
切替操作部４は、ベース部材２に所定範囲内で回動自在に軸支されており、その姿勢を図５に示す「第１姿勢」と図１に示す「第２姿勢」とに切り替えることにより、支持部材５１、５２と協働してリング３、３を開閉するスイッチである。本実施形態では、切替操作部４が図１に示す第２姿勢のときには、リング３、３における第１半リング部材３１及び第２半リング部材３２の先端部３０同士が離間した「開姿勢」に維持される。一方、切替操作部４が図５に示す第１姿勢に切り替えられると、リング３、３における第１半リング部材３１及び第２半リング部材３２の先端部３０同士が当接した「閉姿勢」に切り替えられる。
【００１７】
図１、図２等に示すように、切替操作部４は、本体部としてのカム体４３と、カム体４３を基端としてそれぞれ延設された第１操作部４１及び第２操作部４２を有している。第１操作部４１と第２操作部４２は先端側が自由端となっており、これらが略Ｖ字型を形成するようにカム体４３から互いに異なる方向に延出している。切替操作部４は、例えばポリアセタール樹脂等の合成樹脂で一体に形成されている。詳細については後述するが、切替操作部４におけるカム体４３のカム軸４３１が、ベース部材２に対して回動自在に軸支されており、カム軸４３１を中心として切替操作部４（カム体４３）をベース部材２に対して相対回動させることで、切替操作部４を第１姿勢と第２姿勢とに切り替えることができる。ここで、切替操作部４の第１操作部４１は、使用者がリング３、３を開姿勢から閉姿勢に切り替える際に押操作するためのレバーである。一方、切替操作部４の第２操作部４２は、使用者がリング３、３を閉姿勢から開姿勢に切り替える際に押操作するためのレバーである。
【００１８】
図９〜１４を併せて参照しながらベース部材２の詳細について説明する。図９は、実施形態に係る綴じ具１のベース部材２の平面図である。図１０は、図９に示すベース部材２のＤ―Ｄ断面図である。図１１は、実施形態に係る綴じ具１のベース部材２の側面図である。図１２〜１４は、図９のＡ−Ａ拡大断面図、Ｂ−Ｂ拡大断面図、Ｃ−Ｃ拡大断面図である。
【００１９】
ベース部材２は、例えば一枚の金属板の加工（曲げ加工や絞り加工）により形成されており、ベース部材２の表面（天板）を形成するように全体として上方へ湾曲加工されたベース本体２１と、ベース部材２の側面（側板）を形成するようにベース本体２１の裏面側へ向けて傾斜する形態で湾曲した両側の側片部分２２、２２とが金属板の加工により形成
されている。この側片部分２２、２２は綴じ具１の組立時に曲げ加工される。
【００２０】
また、ベース部材２におけるベース本体２１は、上面からみて帯板状に長く形成され、その両端部近傍には、例えばバインダーの表紙体の内面にビスやリベット等で固定するための固定孔２４がそれぞれ設けられている。本実施形態においては、ベース部材２が一枚の金属板の加工により形成されているため、部品点数を少なくすることで全体構成を簡素化し、且つ加工精度を向上することができる。
【００２１】
ベース本体２１の中央部には、カム体４３におけるカム軸４３１を軸支（軸受け）する軸受け部２５、２５が形成されている。即ち、軸受け部２５、２５は２つのリング３、３間の中央部に配置されている。軸受け部２５は、ベース本体２１の一部を表面側へ膨らむように湾曲させた湾曲部分の内面２５ａにより形成されている。本実施形態において、軸受け部２５、２５は断面半円形状を呈しており、その半円形の開放部分がベース本体２１の裏面側（下方）を向いている。また、ベース本体２１における軸受け部２５、２５同士の間にはカム体４３を配置するための開口２６が形成されている（図１３を参照）。このように、ベース本体２１の幅方向に互いに間隔をおいて向き合う形態で設けられた軸受け部２５、２５の内面２５ａ、２５ａにカム体４３のカム軸４３１、４３１を挿入することで、ベース部材２に対して切替操作部４が回動自在に軸支される。
【００２２】
更に、ベース部材２における軸受け部２５、２５の表面は、ベース部材２の側片部分へ向かってそれぞれ下り勾配に傾斜する斜面２７、２７に形成されている。この斜面２７、２７は、綴じ込む書類等の端縁部分が隆起した軸受け部２５、２５への接触によりに引っ掛からないように円滑にガイドするためのガイド面として機能する。
【００２３】
また、ベース本体２１における幅方向の両側近傍部位から側片部分２２、２２にかけて、半リング部材３１、３２をベース本体２１の上へ突出させるための切欠き状のスロット２８、２８がそれぞれ設けられている。更に、ベース本体２１の幅方向両側の側片部分２２、２２には、支持部材５１、５２を、その内面で揺動（傾斜）可能に支持する屈曲部２９、２９が形成されている。各屈曲部２９は、ベース本体２１の長手方向に延びている。
【００２４】
また、ベース部材２におけるベース本体２１の表面（上面）には、下方へ凹んだ一対の第１凹溝部２３１及び第２凹溝部２３２が設けられている。第１凹溝部２３１及び第２凹溝部２３２は、ベース本体２１の幅方向（端手方向）における中央部に位置し、ベース本体２１の長手方向に延設されている。第１凹溝部２３１及び第２凹溝部２３２は、溝底部２３ａとその両側から立ち上がる一対の溝内壁２３ｂによって形成されている。第１凹溝部２３１の溝幅は、切替操作部４における第１操作部４１の板厚よりも幅広に形成されている。また、第２凹溝部２３２の溝幅は、切替操作部４における第２操作部４２の板厚よりも幅広に形成されている。また、第１凹溝部２３１及び第２凹溝部２３２における各溝底部２３ａは平坦面として形成されており、そのベース本体２１の頭頂面２１１に比べて低い位置に形成されている。
【００２５】
次に、図１５及び１６を併せて参照しながら、切替操作部４の詳細について説明する。図１５は、綴じ具１における切替操作部４の正面図である。図１６は、綴じ具１における切替操作部４の側面図である。
【００２６】
図１５、１６に示すように、切替操作部４における第１操作部４１及び第２操作部４２は、それぞれリング３、３の開閉を切り替える際に使用者が押操作するための押操作面４１２、４２２を有している。各押操作面４１２、４２２は、それぞれ第１操作部４１及び第２操作部の先端（自由端）側に設けられている。また、押操作面４１２、４２２は使用者が操作し易いように平面状に形成されており、すべり止めのために溝加工が施されてい
る。更に、切替操作部４における第１操作部４１及び第２操作部４２は、ベース部材２の第１凹溝部２３１及び第２凹溝部２３２の各溝底部２３ａにそれぞれ当接する当接端部４１１、４２１を有する。また、第１凹溝部２３１及び第２凹溝部２３２における各当接端部４１１、４２１は平坦面として形成されている。
【００２７】
次に、切替操作部４におけるカム体４３の詳細構造について説明する。カム体４３の両側面には、カム軸４３１、４３１が一体に形成されている。カム軸４３１、４３１は、カム体４３の両側面から同軸に突出している。また、カム軸４３１の外周面の曲率は、ベース部材２における軸受け部２５の内面２５ａの曲率よりも嵌め合い公差分程度に小さく設定されている。更に、カム体４３は、切替操作部４の回動位置によって各リング３、３の開閉度を調整するカム部４３２が設けられている。カム部４３２は、リング３、３を閉姿勢に保持する第１カム部４３２ａと、リング３、３を開姿勢に保持する第２カム部４３２ｂとを有している（図１６を参照）。
【００２８】
また、カム体４３の両側面には、カム軸４３１の下方への変位を規制するフランジ状リブ４３４が設けられ、フランジ状リブ４３４の下面には接触部Ａが形成されている。軸受け部２５にカム体４３を軸支させた際、カム体４３の接触部Ａが軸受け部２５の外面に当接することで、カム軸４３１が定位置に保たれるようになっている。なお、軸受け部２５の外面に対して接触部Ａは摺動可能であるため、切替操作部４を操作する際に、カム体４３を円滑に回動させることができる。
【００２９】
綴じ具１のリング３、３を閉じる場合、図２に示す第２姿勢の切替操作部４における第１操作部４１に押下力Ｆ１を作用させることで、カム体４３のカム軸４３１を中心として破線矢印Ｄ１で示す第１方向へ切替操作部４を回動させる。その結果、切替操作部４が第２姿勢から図６に示す第１姿勢に切り替えられ、リング３、３が閉じられる。一方、リング３、３を開く場合、図６に示す第１姿勢の切替操作部４における第２操作部４２に押下力Ｆ２を作用させることで、カム体４３のカム軸４３１を中心として図６に破線矢印Ｄ２で示す第２方向へ切替操作部４を回動させる。その結果、切替操作部４が図２に示す第２姿勢に切り替えられ、リング３、３を開けることができる。以下では、リング３、３を開姿勢から閉姿勢にするために切替操作部４を第２姿勢から第１姿勢に回動させる際の回動方向を、「第１方向Ｄ１」とする。一方、リング３、３を閉姿勢から開姿勢にするために切替操作部４を第１姿勢から第２姿勢に回動させる際の回動方向を、「第２方向Ｄ２」とする。本実施形態の綴じ具１においては、上記第１方向Ｄ１と第２方向Ｄ２とが逆方向に設定されている。
【００３０】
次に、支持部材５１、５２について説明する。図１７、１８は、実施形態にかかる支持部材５１、５２を示す図である。支持部材５１、５２は金属板により帯板状に形成されている。一方の支持部材５１の長手方向の両端付近に位置するリング基端部５１ａに第１半リング部材３１の基端が固定されて支持され、他方の支持部材５２の長手方向の両端付近に位置するリング基端部５２ａに第２半リング部材３２の基端が固定されて支持されている。したがって、支持部材５１及び５２の長手方向の両端近くに第１半リング部材３１、３１及び第２半リング部材３２、３２がそれぞれ固定されている。
【００３１】
各支持部材５１、５２は、ベース部材２の裏面側に並べて２つ配置され、それぞれがベース部材２の長手方向と直交する側方へ傾斜可能に設けられている。各支持部材５１、５２の一方の側辺部がベース部材２の後述する側片部分２２の屈曲部２９の内面によってそれぞれ支持され（図２３、２４を参照）、他方の側辺部同士が部分的に上下に重ねられている。
【００３２】
各支持部材５１、５２は、平面視において、ほぼ左右対称に形成されている。さらに、
左側の支持部材５１と右側の支持部材５２は互いに上下に重なるラップ部分を有している。綴じ具１では、右側の支持部材５２の他方の側辺部に２つの突出片５２ｂと２つの突出片受け部５２ｃとが間隔をおいて形成されている。左側の支持部材５１の他方の側辺部には、支持部材５２の各突出片５２ｂ及び各突出片受け部５２ｃとそれぞれ対向する位置に、２つの突出片受け部５１ｃと、２つの突出片５１ｂとが間隔をおいて形成されている。
【００３３】
両支持部材５１、５２の互いに対向する側片部の中央部分には、切替操作部４が第１姿勢の時にカム体４３の第１カム部４３２ａと当接する当接部５１ｄ、５２ｄがそれぞれ形成されている。また、支持部材５１、５２の長手方向における当接部５１ｄ、５２ｄの近傍には、切欠５１ｅ、５２ｅが形成されている。この切欠５１ｅ、５２ｅは、切替操作部４が第２姿勢の時に、カム体４３の第１カム部４３２ａと支持部材５１、５２との当接を解除するために形成されている。切欠５１ｅ、５２ｅは支持部材５１、５２を貫通しており、ベース部材２内に両支持部材５１、５２が配置された状態で切欠５１ｅ、５２ｅ同士が組み合わされることで１つの退避穴部５３を形成する。この退避穴部５３は、切替操作部４が第１姿勢から第２姿勢に切り替えられる際に、カム体４３の第１カム部４３２ａを収容可能な大きさに形成されており（図２１を参照）、カム体４３の第１カム部４３２ａが貫通することで、第１カム部４３２ａが当接部５１ｄ、５２ｄから退避してこれらとの当接を解除するように機能する貫通穴である。更に、支持部材５１、５２は、当接部５１ｄ、５２ｄと切欠５１ｅ、５２ｅとの間に、傾斜面５１ｆ、５２ｆが設けられている。
【００３４】
図１９は、実施形態に係る綴じ具１のバネ部材５４を示す図である。ベース部材２に各支持部材５１、５２が組み付けられた状態において、各支持部材５１、５２とベース本体２１の側片部分２２との間に、バネ部材５４が装着されている。バネ部材５４は、半リング部材３１、３２の先端部３０同士が離間する方向へ支持部材５２を付勢している。本実施形態では、バネ部材５４を一方の支持部材５１に対してのみ作用させる構造を採用しており、綴じ具１の構造を簡素化している。
【００３５】
バネ部材５４は、平面視において概略Ｍ形状であって、線材の曲げ加工により形成され、４つの支点部５５と一つの付勢部５６とを有している。４つの支点部５５は、ベース部材２の両側の側片部分２２の内面に突き当てる形態でセットされる。その状態において、バネ部材５４の付勢部５６が支持部材５１の裏面に接触することで、当該支持部材５１の他方の側片部を上方（ベース本体２１の裏面側）へ付勢するように、付勢部５６の立ち上がり角度θ及び長さＬが設定されている。
【００３６】
綴じ具１を組み立てる際には、まず、ベース部材２の側片部分２２を半曲げ状態にしておく。この状態で、切替操作部４をベース本体２１の裏面側から挿入し、ベース部材２に装着する。次に、左右の支持部材５１、５２の内側の側片部のラップ部分同士を重ねてベース本体２１の裏面側に配置する。即ち、支持部材５２の突出片受け部５２ｃの上に支持部材５１の突出片５１ｂを載せ、支持部材５１の突出片受け部５１ｃの上に支持部材５２の突出片５２ｂを載せた状態で、ベース本体２１の裏面側に支持部材５１、５２を配置する。その際、各支持部材５１、５２に取り付けてある半リング部材３１、３２は、スロット２８を通じてベース本体２１の上方へ導く。そして、この状態で、ベース部材２の側片部分２２、２２を内側へ曲げ加工する。その後、バネ部材５４を側片部分２２、２２間に差し渡して装着する。これにより、図１に示す綴じ具１を組み立てることができる。
【００３７】
次に、綴じ具１のリング３、３を開閉する際の各部の動作内容について説明する。図２１、２３はリング３、３が開姿勢のときの要部の状態を示し、図２２、２４はリング３、３が閉姿勢のときの要部の状態を示す図である。本実施形態において、支持部材５１、５２は、バネ部材５４によって常に第１半リング部材３１及び第２半リング部材３２を離間させる方向に付勢されている。
【００３８】
まず、リング３、３を開姿勢から閉姿勢に切り替える際の動作について説明する。図１、３〜４に示すように、リング３が開姿勢の状態では、第１半リング部材３１及び第２半リング部材３２の先端部３０は離間している。
【００３９】
リング３が開姿勢の状態では、切替操作部４は第２姿勢に維持されており、図２１に示すように、第２操作部４２の当接端部４２１が第２凹溝部２３２の溝底部２３ａに当接した状態となっている。第２操作部４２の当接端部４２１が第２凹溝部２３２における溝底部２３ａに当接している状態では、切替操作部４の第２方向Ｄ２への回動が規制されている。
【００４０】
更に、この状態において、カム体４３における第１カム部４３２ａは支持部材５１、５２に設けられた退避穴部５３に退避した状態となっており、これによって支持部材５１、５２（当接部５１ｄ、５２ｄ）に対して非当接状態となっている。また、この状態において、カム体４３は、第２カム部４３２ｂが傾斜面５１ｆ、５２ｆに当接している。そのため、カム体４３の第２カム部４３２ｂが支持部材５１、５２を介してバネ部材５４によって付勢されることによって、切替操作部４には、第２方向Ｄ２へ回動させる力が作用している。これにより、切替操作部４が不用意に第１方向Ｄ１へ回動することを抑制することができ、切替操作部４を第２姿勢に保持することができる。その際、第２操作部４２の当接端部４２１が第２凹溝部２３２の溝底部２３ａに押し付けられているため、切替操作部４にガタつきが起こることを好適に抑制することができる。
【００４１】
更に、第２操作部４２の当接端部４２１とベース部材２における第２凹溝部２３２の溝底部２３ａは双方共に平坦面であるため、当接端部４２１を溝底部２３ａに面接触させた状態で切替操作部４を第２姿勢に保持することができる。これにより、切替操作部４が第２姿勢に保持されている最中に、切替操作部４にガタつきがより一段と生じ難くなる。特に、本実施形態においては、切替操作部４が第２姿勢にある時に、第２操作部４２の側端部が第２凹溝部２３２に収容、支持されている。これによれば、切替操作部４に、捻り力等が不用意に作用したとしても、カム体４３のカム軸４３１に過大な負荷が掛かることを抑制することができ、カム軸４３１が損傷することを好適に抑制すると共に切替操作部４のガタつきをより一段と起こり難くすることができる。
【００４２】
次に、リング３、３を開姿勢から閉姿勢に切り替えるときの動作について説明する。上記のように、綴じ具１は、リング３、３を支持する支持部材５１、５２は、カム体４３の第１カム部４３２ａが当接することでリング３、３を閉姿勢に至らせる当接部５１ｄ、５２ｄと、当接部５１ｄ、５２ｄの近傍に形成されると共に第１カム部４３２ａが退避することでリング３、３を開姿勢に至らせる退避穴部５３とを有している。
【００４３】
使用者は、切替操作部４における第１操作部４１の押操作面４１２に押下力Ｆ１を作用させる。その際、押下力Ｆ１がバネ部材５４の付勢力を超えると、カム体４３における第１カム部４３２ａが支持部材５１、５２における退避穴部５３から乗り上げ、傾斜面５１ｆ、５２ｆ上を滑動する（図２２を参照）。そして、カム体４３における第１カム部４３２ａが傾斜面５１ｆ、５２ｆを乗り越え、第１カム部４３２ａが支持部材５１、５２における当接部５１ｄ、５２ｄと当接する。支持部材５１、５２の当接部５１ｄ、５２ｄに第１カム部４３２ａが当接すると、支持部材５１、５２が屈曲部２９を支点にして内側の側端部が押し下げられる。その結果、リング３における第１半リング部材３１及び第２半リング部材３２の先端部３０同士が当接することで、リング３が閉姿勢となる。その際、支持部材５１、５２における当接部５１ｄ、５２ｄの近傍に退避穴部５３が設けられているため、当接部５１ｄ、５２ｄに対して第１カム部４３２ａを迅速に当接させることができる。これにより、リング３、３を閉じる際に必要な切替操作部４の操作量（第１操作部４
１の押下量）を少なくすることができる。
【００４４】
そして、綴じ具１は、リング３における第１半リング部材３１及び第２半リング部材３２の先端部３０同士がちょうど当接して閉鎖されるタイミングで、切替操作部４における第１操作部４１の当接端部４１１が第１凹溝部２３１の溝底部２３ａに当接するように設計されている。即ち、第１操作部４１の当接端部４１１が第１凹溝部２３１の溝底部２３ａに当接した時点で、切替操作部４が第１姿勢に切り替えられると共に、リング３、３が閉姿勢となる。
【００４５】
ここで、第１操作部４１の当接端部４１１とベース部材２における第１凹溝部２３１の溝底部２３ａは双方共に平坦面である。そのため、第１操作部４１の当接端部４１１を溝底部２３ａに面接触させた状態で、切替操作部４を第１姿勢に保持することができる。これにより、切替操作部４が第１姿勢に保持されている最中に、切替操作部４にガタつきが起こることを好適に抑制できる。特に、本実施形態係る綴じ具１においては、切替操作部４が第１姿勢の時には、第１操作部４１の側端部が第１凹溝部２３１に収容されることで、溝底部２３ａ及び一対の溝内壁２３ｂで支持されている。これによれば、切替操作部４に捻り力等が不用意に作用したとしても、カム体４３のカム軸４３１に過大な負荷が掛かることを抑制することができ、カム軸４３１の損傷を好適に抑制できる。また、切替操作部４のガタつきを好適に抑制することができる。
【００４６】
次に、リング３、３を閉姿勢から開姿勢に切り替える場合の動作について説明する。リング３、３を閉姿勢から開姿勢に切り替える場合、使用者は、切替操作部４における第２操作部４２の押操作面４２２に押下力Ｆ２を作用させる。その結果、カム体４３における第１カム部４３２ａが支持部材５１、５２における傾斜面５１ｆ、５２ｆを滑動し、退避穴部５３に退避する。その結果、第１カム部４３２ａと当接部５１ｄ、５２ｄの当接が解除され、各支持部材５１、５２の内側端部がバネ部材５４の付勢力によって押し上げられる。これにより、リング３、３における第１半リング部材３１及び第２半リング部材３２の先端部３０同士が離間し、リング３、３が開姿勢となる。ここで、支持部材５１、５２における当接部５１ｄ、５２ｄと退避穴部５３とが近接した位置に配置されているため、当接部５１ｄ、５２ｄに対する第１カム部４３２ａの当接の解除を迅速に行うことができる。
【００４７】
更に、綴じ具１の切替操作部４は、カム体４３の第１カム部４３２ａが支持部材５１、５２における当接部５１ｄ、５２ｄに当接している状態から退避穴部５３に退避する退避方向、即ち第２方向Ｄ２（図６を参照）に当該第１カム部４３２ａを回動させる際、第１カム部４３２ａが退避穴部５３に退避した時点で第２操作部４２の当接端部４２１（回動規制部）が第２凹溝部２３２の溝底部２３ａに当接するように設計されている。これにより、カム体４３における第１カム部４３２ａが退避穴部５３に退避した時点で、第１カム部４３２ａの第２方向Ｄ２への回動が規制される。これによれば、リング３、３を開く際には、カム体４３における第１カム部４３２ａが退避穴部５３に退避した時点で、切替操作部４の第２姿勢への切り替えが完了するため、リング３を閉姿勢から迅速に開姿勢に切り替えることができる。
【００４８】
また、リング３、３を開姿勢から閉姿勢に切り替える際にも、切替操作部４における第１操作部４１の押下時において、カム体４３の第１カム部４３２ａが退避穴部５３から当接部５１ｄ、５２ｄに乗り上げるまでのクリアランス（あそび）が少ないため、カム体４３の第１カム部４３２ａを当接部５１ｄ、５２ｄに当接させるまでに要する第１操作部４１の操作量（押下量）を少なくすることができる。つまり、リング３、３を開姿勢から閉姿勢へと迅速に切り替えることができる。
【００４９】
また、本実施形態における綴じ具１によれば、支持部材５１、５２の当接部５１ｄ、５２ｄにおける退避穴部５３との境界位置には、カム体４３の第１カム部４３２ａが退避穴部５３から当接部５１ｄ、５２ｄに乗り上げる際に当該第１カム部４３２ａを滑動させる傾斜面５１ｆ、５２ｆが設けられている。これによれば、リング３、３を開姿勢から閉姿勢に切り替える際、カム体４３の第１カム部４３２ａを退避穴部５３から当接部５１ｄ、５２ｄに円滑に変位させることができる。
【００５０】
更に、退避穴部５３は、支持部材５１、５２を貫通し、カム体４３の第１カム部４３２ａを挿通可能な大きさを有する貫通穴として形成されているため、カム体４３の第１カム部４３２ａの最大リフト量の設計値が大きくても、カム体４３の第１カム部４３２ａを退避穴部５３に逃がすことで第１カム部４３２ａと当接部５１ｄ、５２ｄとの当接状態を容易に解除できる。従って、切替操作部４を第１姿勢と第２姿勢との間で切り替える際の回動範囲を小さく設計しても、第１カム部４３２ａの最大リフト量を増やすことで、好適にリング３を開閉することができる。但し、退避穴部５３は、支持部材５１、５２を貫通する貫通穴に限られない。退避穴部５３は、第１カム部４３２ａを収容可能な支持部材５１、５２に設けられた凹部であってもよい。ここでいう凹部とは、支持部材５１、５２に設けられた非貫通穴であり、例えば他の部位に比べて凹んだ（窪んだ）部位である。
【００５１】
以上のように、本実施形態における綴じ具１の切替操作部４によれば、リング３、３を開姿勢から閉姿勢に切り替える際に操作する第１操作部４１と、リング３、３を閉姿勢から開姿勢に切り替える際に操作する第２操作部４２とを個別に有している。そのため、リングの開姿勢時と閉姿勢時を一つの操作レバーを略１８０°回動操作することで実現する従来の綴じ具と比較して、リング開閉時における使用者による切替操作部の操作量を少なくすることができる。更に、綴じ具１の切替操作部４は、第１操作部４１を押操作して第１姿勢に至らせるための切替操作部４の回動方向である第１方向Ｄ１と、第２操作部４２を押操作して第２姿勢に至らせるための切替操作部４の回動方向である第２方向Ｄ２とが逆方向であるため、リング開閉時における使用者による切替操作部４の操作量を好適に少なくすることができる。
【００５２】
また、綴じ具１の切替操作部４は、第２姿勢の状態では第１操作部４１がベース部材２の第１凹溝部２３１に接近する方向に押下されることで第１方向Ｄ１に回動して第１姿勢に至り、第１姿勢の状態では、第２操作部４２がベース部材２の第２凹溝部２３２に接近する方向に押下されることで第２方向Ｄ２に回動して第２姿勢に至る構造となっている。即ち、リング３の開閉操作において、使用者は、第１操作部４１又は第２操作部４２を下方に押し込む操作を行うだけで、リング３を開閉することができるため、操作レバーを略１８０°回動操作することによってリングの開閉を切り替える従来の綴じ具と比較して、リング開閉時における使用者による切替操作部の操作量をより少なくすることができる。
【００５３】
更に、綴じ具１の切替操作部４は、第１操作部４１及び第２操作部４２の先端側が自由端となっており、これらが略Ｖ字形状を形成するようにカム体４３から延出している。更には、カム軸４３１に直交する仮想平面において、第１操作部４１の当接端部４１１の一端と他端とを結ぶ線分から延出する第１仮想直線と第２操作部４２の当接端部４２１の一端と他端とを結ぶ線分から延出する第２仮想直線とが、鈍角（より詳しくは、９０°よりも大きく１８０°よりも小さい角度）に交差するように当接端部４１１及び当接端部４２１同士の相対角度が規定されている（図２１、２２等を参照）。
【００５４】
そのため、切替操作部４が第１姿勢のときには、第２操作部４２の当接端部４２１がベース部材２の第２凹溝部２３２から離間し、且つ当該第２凹溝部２３２の上方空間を斜めに延伸するような姿勢に第２操作部４２が保持されることになる。同様に、切替操作部４が第２姿勢のときには、第１操作部４１の当接端部４１１がベース部材２の第１凹溝部２
３１から離間し、且つ当該第１凹溝部２３１の上方空間を斜めに延伸するような姿勢に第２操作部４２が保持されることになる。これにより、使用者は、切替操作部４が第２姿勢のときは第１操作部４１を下方に押し込む操作を行うことで第１姿勢に切り替えることができる一方、切替操作部４が第１姿勢のときは第２操作部４２を下方に押し込む操作を行うことで第２姿勢に切り替えることができる。つまり、切替操作部４の第１操作部４１又は第２操作部４２を押し下げるという単純な操作を行うだけで、リング３の開閉を切り替える操作を簡単に行うことができる。
【００５５】
更に、綴じ具１のベース部材２は、第１凹溝部２３１及び第２凹溝部２３２の溝底部２３ａが平坦面として形成されている。これにより、切替操作部４が第１姿勢のときには、第１操作部４１の当接端部４１１を溝底部２３ａに面接触させた状態に保持することができる。同様に、切替操作部４が第２姿勢のときには、第２操作部４２の当接端部４２１を第２凹溝部２３２の溝底部２３ａに面接触させた状態に保持することができる。これによれば、第１姿勢及び第２姿勢の何れにおいても切替操作部４にガタつきが起こることを好適に抑制することができる。
【００５６】
更に、ベース部材２における第１凹溝部２３１及び第２凹溝部２３２は何れも、溝底部２３ａ及び一対の溝内壁２３ｂを有する溝形状であるため、切替操作部４が第１姿勢にある時には第１操作部４１の当接端部４１１を含む側端部をベース部材２の第１凹溝部２３１に受け入れた状態で保持することができる。同様に、切替操作部４が第２姿勢にある時には第２操作部４２の当接端部４２１を含む側端部をベース部材２の第２凹溝部２３２に受け入れた状態で保持することができる。これにより、切替操作部４を操作していない時には、切替操作部４を第１姿勢又は第２姿勢に安定して保持することができる。
【００５７】
例えば、切替操作部４に対してカム軸４３１を捻じるような力が不用意に作用したとしても、カム体４３のカム軸４３１に作用する負荷が低減されるため、カム軸４３１の損傷を好適に抑制することができる。本実施形態においては、当接端部４１１、当接端部４２１がそれぞれ本発明における第１当接端部、第２当接端部に相当する。また、ベース部材２における第１凹溝部２３１及び第２凹溝部２３２が、本発明における第１溝部、第２溝部に相当する。また、第１凹溝部２３１及び第２凹溝部２３２における各溝底部２３ａが、それぞれ第１ストッパ部、第２ストッパ部に相当する。
【００５８】
また、本実施形態の綴じ具１は、切替操作部４が第１姿勢の状態において、ベース部材２における第１凹溝部２３１の溝底部２３ａに当接する第１操作部４１の当接端部４１１と、カム体４３のカム軸４３１（回動軸）の軸心とが略同一直線上に位置するように構成されている。これによれば、ベース部材２の軸受け部２５、２５に軸支されるカム軸４３１の配置位置を低くすることができる。そのため、ベース本体２１の一部を湾曲させて軸受け部２５、２５を形成する際の加工が容易となる。
【００５９】
また、本実施形態における綴じ具１は、切替操作部４の頭頂部が、リング３、３の頭頂部よりも低い位置に設定されている。より具体的には、第２姿勢の時において、第１操作部４１の押操作面４１２が第１半リング部材３１及び第２半リング部材３２の先端部３０が配置される位置よりも低く、第１姿勢の時において、第２操作部４２の押操作面４２２が第１半リング部材３１及び第２半リング部材３２の先端部３０が配置される位置よりも低くなるように、切替操作部４が構成されている。これによれば、リング３、３の開閉操作の際に、第１操作部４１及び第２操作部４２が回動する際に推移する軌跡とリング３、３が開閉する際に推移する軌跡とが交差することを抑制できる。その結果、使用者が切替操作部４を操作しリング３、３を開閉する際に、第１半リング部材３１及び第２半リング部材３２の先端部３０同士の間に指を挟んでしまうことを抑制できる。
【００６０】
図２０は、本実施形態に係る綴じ具１のリング３、３を説明する図である。（ａ）は綴じ具１の部分斜視図、（ｂ）は綴じ具１のリング３、３の平面図である。図示のように、リング３、３を構成する第１半リング部材３１と第２半リング部材３２は、先端部３０が凸端面３０１（最先端面）、凹端面３０２（中先端面）、接続面３０３によって形成されている。先端部３０には切欠き凹部３０４が設けられている。先端部３０の凸端面３０１は切欠き凹部３０４が設けられていない部分の端面であり、凹端面３０２は切欠き凹部３０４に対応する部分の端面である。また、接続面３０３は、凸端面３０１及び凹端面３０２を接続する面であり、各半リング部材３１、３２の延伸方向に沿って形成されており、凸端面３０１及び凹端面３０２と略直交している。
【００６１】
切欠き凹部３０４は、先端部３０における凹端面３０２及び接続面３０３によって形状が画定されている。符号３０５は、先端部３０における凸端面３０１及び接続面３０３によって画定される先端凸部である。先端凸部３０５と切欠き凹部３０４は、互いに相補的な関係にあり、各半リング部材３１、３２の一方の切欠き凹部３０４は他方の先端凸部３０５を受容可能であり、他方の切欠き凹部３０４は一方の先端凸部３０５を受容可能である。
【００６２】
そして、切替操作部４が第２姿勢から第１姿勢に切り替えられることで、第１半リング部材３１と第２半リング部材３２の先端部３０とが互いに当接し、以てリング３が閉じられる。その際、各半リング部材３１、３２の一方の凸端面３０１が他方の凹端面３０２に当接し、他方の凸端面３０１が一方の凹端面３０２に当接することで、各半リング部材３１、３２の先端部３０同士の閉鎖が完了する。本実施形態における綴じ具１は、切替操作部４を第２姿勢から第１姿勢に切り替える際、第１操作部４１の当接端部４１１が第１凹溝部２３１の溝底部２３ａに当接して第１方向Ｄ１への回動が規制（制限）される時点で、各半リング部材３１、３２の一方の凸端面３０１が他方の凹端面３０２に当接し、他方の凸端面３０１が一方の凹端面３０２に当接するように調整されている。
【００６３】
本実施形態におけるリング３、３によれば、切替操作部４を第２姿勢から第１姿勢に切り替える過程（途中）において、切替操作部４の第１方向Ｄ１への回動が規制される回動終了位置に至る前に、各半リング部材３１、３２の接続面３０３同士が互いに対向した状態となる。このように、切替操作部４を第２姿勢から第１姿勢に切り替える過程（途中）において、各半リング部材３１、３２の一方の凸端面３０１が他方の凹端面３０２に当接する前の状態においても、各半リング部材３１、３２の接続面３０３同士が互いに対向することにより、実質的に閉ループを形成することができる。従って、例えば切替操作部４を第１姿勢に保持した状態において、何らかの原因によってリング３、３に外力が加わることで各半リング部材３１、３２が離間する方向に僅かに回動してしまったとしても、各半リング部材３１、３２の接続面３０３同士が互いに対向した状態が維持されることで、綴じている紙葉がリング３、３から脱落することを抑制することができる。なお、各半リング部材３１、３２の接続面３０３同士が互いに対向して相対スライドする際に、接続面３０３同士が摺接してもよいし、離間した状態でスライドしてもよい。
【００６４】
ここで、接続面３０３の長さ、即ち凸端面３０１及び凹端面３０２の段差寸法は特に限定されないが、２〜３ｍｍ程度とする態様が例示できる。また、リング３、３の径に応じて接続面３０３の長さ寸法を決定してもよい。リング３、３の径が大きく、綴じ具１に綴じる紙葉の量が多い場合には、リング３、３に加わる外力も大きくなることが想定されるため、リング３、３の径が小さいものに比べて接続面３０３の長さを相対的に大きな寸法に設定してもよい。
【００６５】
本実施形態では、リング３を構成する二つの半リング部材３１、３２を左右対称に形成したが、これには限られず、リングを正面視Ｄ形状としてもよい。また、本実施形態にお
ける綴じ具１においては２つのリング３、３を備えているが、リング３の数は特に限定されない。即ち、綴じ具１は、１つのリング３を備えていても良いし、３つ以上のリング３を備えていてもよい。なお、本実施形態の綴じ具１においては、ベース部材２の長手方向において、リング３、３同士の中間部（中央部）に切替操作部４を設けるようにしている。これによれば、切替操作部４を操作することによってカム体４３の第１カム部４３２ａと当接部５１ｄ、５２ｄとの当接とその解除を切り替えた際に、支持部材５１、５２を円滑に変位させ易くなる。
【００６６】
なお、上記した種々の内容は、本発明の技術的思想を逸脱しない範囲において可能な限り組み合わせることができる。
【符号の説明】
【００６７】
１・・・綴じ具
２・・・ベース部材
２１・・・ベース本体
２２・・・側辺部分
２３１・・・第１凹溝部
２３２・・・第２凹溝部
３・・・リング
３０・・・先端部
３１・・・第１半リング部材
３２・・・第２半リング部材
４・・・切替操作部
４１・・・第１操作部
４２・・・第２操作部
４３・・・カム体
５１、５２・・・支持部材
５３・・・退避穴部
５４・・・バネ部材
Ａ・・・接触部
Ｋ・・・開放部分
【図１】
2017222101.tif 000003
【図２】
2017222101.tif 000004
【図３】
2017222101.tif 000005
【図４】
2017222101.tif 000006
【図５】
2017222101.tif 000007
【図６】
2017222101.tif 000008
【図７】
2017222101.tif 000009
【図８】
2017222101.tif 000010
【図９】
2017222101.tif 000011
【図１０】
2017222101.tif 000012
【図１１】
2017222101.tif 000013
【図１２】
2017222101.tif 000014
【図１３】
2017222101.tif 000015
【図１４】
2017222101.tif 000016
【図１５】
2017222101.tif 000017
【図１６】
2017222101.tif 000018
【図１７】
2017222101.tif 000019
【図１８】
2017222101.tif 000020
【図１９】
2017222101.tif 000021
【図２０】
2017222101.tif 000022
【図２１】
2017222101.tif 000023
【図２２】
2017222101.tif 000024
【図２３】
2017222101.tif 000025
【図２４】
2017222101.tif 000026